(57)【要約】【課題】屋外に設置され、センサー等の保安機能部品を内蔵するガスメータにおいて、保安機能部品の収納部およびカウンターケース内への雨水侵入を防止し、パッキン部材の点数を削減したガスメータを提供する。【解決手段】このガスメータは、屋外に設置され、メータ正面側に設けられ、板状の蓋で蓋をする保安機能部品の収納部を有する上ケースの外周壁と、計量表示部を内蔵するカウンターケースの外周壁との間にパッキン部材を挟みこんで雨水の浸入を防止するガスメータであって、前記上ケースの外周壁には、前記板状の蓋を嵌めこむ凹みを備え、嵌めこまれた前記板状の蓋の外縁部の上辺さらには側辺を覆うように前記パッキン部材を配置させ、前記カウンターケース外周壁と前記上ケース外周壁とで前記パッキン部材を挟み込んで固定する。【選択図】図１
2010101791.tif 000002
【特許請求の範囲】
【請求項１】
屋外に設置され、メータ正面側に設けられ、板状の蓋で蓋をする保安機能部品の収納部を有する上ケースの外周壁と、計量表示部を内蔵するカウンターケースの外周壁との間にパッキン部材を挟みこんで雨水の浸入を防止するガスメータにおいて、前記上ケースの外周壁には、前記板状の蓋を嵌めこむ凹みを備え、嵌めこまれた前記板状の蓋の外縁部の上辺を覆うように前記パッキン部材を配置させ、前記カウンターケース外周壁と前記上ケース外周壁とで前記パッキン部材を挟み込んで固定することを特徴とするガスメータ。
【請求項２】
請求項１に記載のガスメータにおいて、前記パッキング部材は、前記板状の蓋の外縁部の上辺および側面を覆うように配置することを特徴とするガスメータ。
【発明の詳細な説明】
【技術分野】
【０００１】
本発明は、センサー等の保安機能部品を搭載したガスメータに関する。
【背景技術】
【０００２】
特許文献１には、センサー等の保安機能部品を本体の上ケースの背面側に取り付ける方式が示されているが、この構造によるとガスメータ背面側に裏蓋を取り付け閉蓋する必要があり、この裏蓋をなくすため、センサー等の保安機能部品を上ケース正面側に取り付ける構造がとられることがある。
【０００３】
図４は、センサー等の保安機能部品を上ケース正面側の収納部に取り付ける構造を有するガスメータの断面図である。図４において、ガスメータ２０は、内部に回路基板を収納する本体の上ケース１０と、本体の下に構成される計量部１７と、内部に機械式カウンタ１８を収納するカウンターケース１６で構成される。
【０００４】
上ケース１０には、ガスメータの正面側に位置する収納部１１にセンサー等の保安機能部品１２を搭載し、その上ケース１０の前面に板状の蓋１３をパッキン部材１４で挟み込んで固定して、収納部１１内への雨水浸入を防止している。
【０００５】
さらに、板状の蓋１３のガスメータの前面側には、外周に沿って雨よけのためのパッキン部材１５が設けられており、カウンターケース１６の外周壁と板状の蓋１３で雨よけのためのパッキン部材１５を挟み込んでカウンターケース１６内への雨水侵入を防止する構造になっている。
【特許文献１】実公平０６−０３１３７５号公報
【発明の開示】
【発明が解決しようとする課題】
【０００６】
上述した従来のガスメータでは、上ケース１０の前面と板状の蓋１３の間に挟み込み保安機能部品の収納部１１への雨水侵入を防止するパッキン部材１４と、板状の蓋１３とカウンターケース１６の外周壁との間に挟み込みカウンターケース１６内への雨水侵入を防止するパッキン部材１５の２種類のパッキン部材が必要である。
【０００７】
ところで、前記収納部１１には配管内ガスの圧力を測定するための圧力センサーなどの電子部品が収納されており、雨水浸入により電子部品が誤動作し、重大な不具合を発生する恐れがあり、十分な注意が必要である。
しかし、カウンターケース１６の破損などの不具合により、雨水浸入防止機能が働かない場合があり得る。
【０００８】
本発明は、上述の実情を考慮してなされたものであって、屋外に設置され、センサー等の保安機能部品を内蔵するガスメータにおいて、保安機能部品の収納部およびカウンターケース内への雨水侵入を防止し、パッキン部材の点数を削減したガスメータを提供することを目的とする。
【課題を解決するための手段】
【０００９】
上記の課題を解決するために、本発明のガスメータは、屋外に設置され、メータ正面側に設けられ、板状の蓋で蓋をする保安機能部品の収納部を有する上ケースの外周壁と、計量表示部を内蔵するカウンターケースの外周壁との間にパッキン部材を挟み込んで雨水の浸入を防止するガスメータであって、前記上ケースの外周壁には、前記板状の蓋を嵌めこむ凹みを備え、嵌めこまれた前記板状の蓋の外縁部の上辺さらには側辺を覆うように前記パッキン部材を配置させ、前記カウンターケース外周壁と前記上ケース外周壁とで前記パッキン部材を挟み込んで固定する。
【発明の効果】
【００１０】
本発明によれば、保安機能部品の収納部およびカウンターケース内への雨水侵入を防止し、パッキン部材の点数を削減することができる。
【発明を実施するための最良の形態】
【００１１】
以下、図面を参照して、本発明のガスメータに係る好適な実施形態について説明する。
図１は、本実施形態のガスメータの断面図である。図１において、ガスメータ２０は、内部に回路基板を収納する本体の上ケース１０と、本体の下に構成される計量部１７と、内部に機械式カウンタ１８を収納するカウンターケース１６で構成される。
【００１２】
上ケース１０のガスメータの正面側に位置する収納部１１にセンサー等の保安機能部品１２を搭載し、その上ケース１０の前面に板状の蓋１３が取り付けられる。
この上ケース１０のガスメータ正面側には、板状の蓋１３を囲うように上ケース外周壁５が設けられている。
図２（Ａ）は、上ケース１０のガスメータの正面側の正面図、図２（Ｂ）、（Ｃ）は、上ケース１０の側面側の断面図である。
この上ケース外周壁５は、上ケース１０の正面から板状の蓋１３の厚みより深い凹み８が形成されており、この凹み８に板状の蓋１３を嵌めこんで、上ケース１０にネジ止め等により固定して収納部１１に蓋をする（図２（Ｃ））。
【００１３】
パッキン部材６は、ゴム、発泡ゴム、コルク等のような弾性部材が用いられる。
パッキン部材６を正面から見た外側の形状２は、図３（Ａ）に示すように、上ケース外周壁５と同じ形状であり、内側の形状３は、上辺部が板状の蓋１３の上辺部の幅より小さく、下辺部が上ケース外周壁５の下辺部の内側の幅と同じで、高さが板状の蓋１３の高さより低い台形状の形状である。さらに、外側の形状の下辺部と内側の形状の下辺部との幅４は、上ケース外周壁５の厚さと同じとする。
このパッキン部材６を上ケース外周壁５にあわせて取り付け、さらにその前面にガスメータ外観をなすカウンターケース１６を取り付けて、パッキン部材６を挟み込んだ状態で上ケース１０とカウンターケース１６をネジ等で固定する。
このように取り付けられたパッキン部材６は、図３（Ｂ）に示すように、板状の蓋１３の上辺部において僅かに覆われるので、雨水が漏れてきてもパッキン部材６に沿って垂れるため収納部１１に水が浸入するのを防ぐことができる。
また、パッキン部材６の下辺部では、上辺から垂れてきた雨滴がパッキング部材６と板状の蓋１３の間に溜まらない。
【００１４】
また、パッキン部材６の正面から見た内側の形状における上辺部の幅を下辺部の幅と同じにしても同様な効果を得ることができる。
【００１５】
このように構成することによって、パッキン部材の部品数を１つに減らすことができ、カウンターケース外周壁と上ケース外周壁にて挟み込んだ雨よけのためのパッキン部材で板状の蓋を覆うことにより、カウンターケースや保安機能部品の収納部への雨水浸入を防止することができる。
【００１６】
本実施形態のような構成をしていれば、例え、雨水の浸入があったとしても、雨水はパッキン部材６の背面に位置する板状の蓋１３と上ケース外周壁５の隙間に流れ込むことはなく、パッキン部材６に沿ってガスメータ底辺側に流れ込み、保安機能部品の収納部１１への雨水の流れ込が発生しない。これにより保安機能部品の収納部１１への雨水侵入を防止している。
【００１７】
尚、本発明は上述した実施形態に限定されず、本発明の要旨を逸脱しない範囲内で各種の変形、修正が可能であるのは勿論である。
【図面の簡単な説明】
【００１８】
【図１】実施形態のガスメータの断面図である。
【図２】上ケースのガスメータの正面側の正面図と側面側の断面図である。
【図３】パッキン部材の形状を示す図である。
【図４】従来技術のガスメータの断面図である。
【符号の説明】
【００１９】
２０…ガスメータ、１０…本体の上ケース、１１…収納部、１２…保安機能部品、１３…板状の蓋、１４，１５…パッキン部材、１６…カウンターケース、１７…計量部、１８…機械式カウンタ、２…パッキン部材の外側の形状、３…パッキン部材の内側の形状、４…パッキン部材の下辺部の幅、５…上ケース外周壁、６…パッキン部材、７…カウンターケース外周壁、８…上ケース外周壁の凹み。
【図１】
2010101791.tif 000003
【図２】
2010101791.tif 000004
【図３】
2010101791.tif 000005
【図４】
2010101791.tif 000006